(57)【特許請求の範囲】
【請求項１】
縦置き或いは横置きで設置される装置本体と、
情報処理される媒体を単独或いはカートリッジ内に収納した状態で載置するサブトレイと、このサブトレイを載置するメイントレイとからなり、前記装置本体内に出入される載置手段と、
前記サブトレイに設けられ、前記装置本体が縦置きで設置されて前記単独媒体を取り込むとき、該単独媒体を保持する保持片と、
前記装置本体内に設けられ、前記載置手段に載置されて取り込まれる前記単独媒体或いはカートリッジ内の媒体を装着させて回転駆動する媒体駆動手段と、
前記装置本体内に突設された押上部材と、
前記保持片により保持された単独媒体が前記媒体駆動手段に装着されたときのみ、前記保持片を前記押上部材に当接させて押し上げることにより、前記単独媒体から離間する方向に退避させる退避手段と、
を具備してなることを特徴とする情報処理装置。
【請求項２】
縦置き或いは横置きで設置される装置本体と、
情報処理される媒体を単独或いはカートリッジ内に収納した状態で載置するサブトレイ及びこのサブトレイを移動自在に収納し、前記装置本体内に出入されるメイントレイからなる揺動自在な載置手段と、
前記サブトレイに設けられ、前記装置本体が縦置きで設置されて前記単独媒体を取り込むとき、該媒体に係止して保持する保持片と、
前記装置本体内に設けられ、前記載置手段に載置されて取り込まれる前記単独媒体或いはカートリッジ内の媒体を前記載置手段の揺動により装着させて回転駆動する媒体駆動手段と、
前記装置本体内に突設された押上部材と、
前記保持片により保持された単独媒体が前記媒体駆動手段に装着されたときのみ、前記保持片を前記押上部材に当接させて押し上げることにより、前記単独媒体から離間する方向に退避させる退避手段と、
を具備することを特徴とする情報処理装置。
【請求項３】
縦置き或いは横置きで設置される装置本体と、
情報処理される媒体を単独或いはカートリッジ内に収納した状態で載置するサブトレイ及びこのサブトレイを移動自在に収納し、前記装置本体内に出入されるメイントレイからなる載置手段と、
前記サブトレイに移動自在に設けられ、前記装置本体が縦置きで設置されて前記単独媒体を取り込むとき、その先端部を突き出して前記単独媒体に係止させて保持する保持片と、
前記装置本体内に設けられ、前記載置手段に載置されて取り込まれる前記単独媒体或いはカートリッジ内の媒体を前記載置手段の揺動により装着させて回転駆動する媒体駆動手段と、
前記装置本体内に突設された押上部材と、
前記単独媒体が前記媒体駆動手段に装着されたときのみ、前記保持片を前記押上部材に当接させて押し上げることにより、前記単独媒体から離間する方向に退避させる退避手段と、
を具備することを特徴とする情報処理装置。
【請求項４】
縦置き或いは横置きで設置される装置本体と、
情報処理される媒体を単独或いはカートリッジ内に収納した状態で載置するサブトレイ及びこのサブトレイを移動自在に収納し、前記装置本体内に出入されるメイントレイからなる揺動自在な載置手段と、
前記サブトレイを前記メイントレイ内で移動させる移動手段と、
前記サブトレイに移動自在に設けられ、前記装置本体が縦置きで設置されて前記単独媒体を引き込むとき、その先端部を突き出して前記単独媒体に係止させて保持する保持片と、
前記装置本体内に設けられ、前記載置手段に載置されて取り込まれる前記単独媒体或いはカートリッジ内の媒体を前記載置手段の揺動により装着させて回転駆動する媒体駆動手段と、
前記装置本体内に突設された押上部材と、
前記単独媒体が前記駆動手段に装着されたときのみ、前記サブトレイの移動により前記保持片を前記押上部材に当接させて押し上げることにより、前記単独媒体から離間する方向に退避させる退避手段と、
を具備することを特徴とする情報処理装置。
【請求項５】
縦置き或いは横置きで設置される装置本体と、
情報処理される媒体を単独或いはカートリッジ内に収納した状態で載置するサブトレイ及びこのサブトレイを移動自在に収納し、前記装置本体内に出入されるメイントレイからなる揺動自在な載置手段と、
前記サブトレイに移動自在に設けられ、前記装置本体が縦置きで設置されて前記単独媒体を引き込むとき、その先端部を突き出して前記単独媒体に係止させて保持する保持片と、
この保持片に突設された脚部と、
前記装置本体内に設けられ、前記載置手段に載置されて取り込まれる前記単独媒体或いはカートリッジ内の媒体を前記載置手段の揺動により接続させて回転駆動する媒体駆動手段と、
前記装置本体内に突設された押上部材と、
前記サブトレイを前記メイントレイ内でその保持片の脚部が前記押上部材に対向する第１の位置及び前記保持片の脚部が前記押上部材に対向しない第２の位置間で移動させる移動手段と、
前記単独媒体が前記媒体駆動手段に装着されたときは、前記移動手段により前記保持片を前記第１の位置に移動させてその脚部を前記押上部材に当接させることにより押し上げて前記単独媒体から離間する方向に退避させ、前記カートリッジの媒体が前記媒体駆動手段に装着されたときは、前記保持片を第２の位置に移動させてその脚部の前記押上部材に対する当接を回避させる退避手段と、
を具備することを特徴とする情報処理装置。
【請求項６】
縦置き或いは横置きで設置される装置本体と、
情報処理される媒体を単独或いはカートリッジ内に収納した状態で載置するサブトレイ及びこのサブトレイを移動自在に収納し、前記装置本体内に出入されるメイントレイからなる揺動自在な載置手段と、
前記サブトレイに移動自在に設けられ、前記装置本体が縦置きで設置されて前前単独媒体を引き込むとき、その先端部を突き出し、この先端部により前記単独媒体を保持する複数の保持片と、
この保持片に突設された脚部と、
前記装置本体内に設けられ、前記載置手段に載置されて取り込まれる前記単独媒体或いはカートリッジ内の媒体を前記載置手段の揺動により装着させて回転駆動する媒体駆動手段と、
前記装置本体内に突設された押上部材と、
前記サブトレイを前記メイントレイ内でその保持片の脚部が前記押上部材に対向する第１の位置及び前記保持片の脚部が前記押上部材に対向しない前記第１の位置よりも低い第２の位置間で移動させる移動手段と、
前記単独媒体が前記媒体駆動手段に装着されるときは、前記移動手段により前記保持片を前記第１の位置に移動させてその脚部を前記押上部材に当接させて押し上げることにより前記単独媒体から離間する方向に退避させ、前記カートリッジの媒体が前記駆動手段に装着されるときは、前記保持片を第２の位置に移動させてその脚部の前記押上部材に対する当接を回避させる退避手段と、
を具備することを特徴とする情報処理装置。
【発明の詳細な説明】
【０００１】
【発明の属する技術分野】
本発明は、たとえば、光ディスク装置として適用される情報処理装置に関する。
【０００２】
【従来の技術】
光ディスク装置には、その装置本体内に出入自在にトレイを設け、このトレイ上に光ディスクを載置して装置本体内に取り込むものがある。
【０００３】
取り込まれた光ディスクは駆動モータのターンテーブル上に装着されて回転され、この回転される光デイスクに光学ヘッドにより光を走査することにより、光ディスクに対する情報の処理を行う。
【０００４】
ところで、この光ディスク装置には、縦置き或いは横置きで設置されて使用されるものがある。
【０００５】
光ディスク装置が縦置きで設置されて光ディスクを取り込む場合、光ディスクがトレイから落下しないように、保持爪により、光ディスクを保持するようにしている。光ディスクをスピンドルモータに装着したのちは、保持爪と光ディスクとの干渉を避けるため、保持爪を光ディスクから離間する方向に退避するようにしている。
【０００６】
【発明が解決しようとする課題】
しかしながら、たとえば、ＤＶＤ- ＲＡＭのように裸の光ディスクとカートリッジに収納された光ディスクの両方を扱う装置に上記の機構を採用する場合、保持爪が退避されてきたときにカートリッジに干渉しないうように、装置本体の高さ方向の寸法を大きく取らなければないという不都合があった。
【０００７】
本発明は上記実情に鑑みなされたもので、カートリッジと保持手段との間にクアリアランスを設けなくても、保持手段がカートリッジに干渉することのないようにした情報処理装置を提供することを目的とする。
【０００９】
【課題を解決するための手段】
本発明は上記課題を解決するため、請求項１記載のものは、縦置き或いは横置きで設置される装置本体と、情報処理される媒体を単独或いはカートリッジ内に収納した状態で載置するサブトレイと、このサブトレイを載置するメイントレイとからなり、前記装置本体内に出入される載置手段と、前記サブトレイに設けられ、前記装置本体が縦置きで設置されて前記単独媒体を取り込むとき、該単独媒体を保持する保持片と、前記装置本体内に設けられ、前記載置手段に載置されて取り込まれる前記単独媒体或いはカートリッジ内の媒体を装着させて回転駆動する媒体駆動手段と、前記装置本体内に突設された押上部材と、前記保持片により保持された単独媒体が前記媒体駆動手段に装着されたときのみ、前記保持片を前記押上部材に当接させて押し上げることにより、前記単独媒体から離間する方向に退避させる退避手段とを具備してなる。
【００１０】
請求項２記載のものは、縦置き或いは横置きで設置される装置本体と、情報処理される媒体を単独或いはカートリッジ内に収納した状態で載置するサブトレイ及びこのサブトレイを移動自在に収納し、前記装置本体内に出入されるメイントレイからなる揺動自在な載置手段と、前記サブトレイに設けられ、前記装置本体が縦置きで設置されて前記単独媒体を取り込むとき、該媒体に係止して保持する保持片と、前記装置本体内に設けられ、前記載置手段に載置されて取り込まれる前記単独媒体或いはカートリッジ内の媒体を前記載置手段の揺動により装着させて回転駆動する媒体駆動手段と、前記装置本体内に突設された押上部材と、前記保持片により保持された単独媒体が前記媒体駆動手段に装着されたときのみ、前記保持片を前記押上部材に当接させて押し上げることにより、前記単独媒体から離間する方向に退避させる退避手段とを具備する。
【００１１】
請求項３記載のものは、縦置き或いは横置きで設置される装置本体と、情報処理される媒体を単独或いはカートリッジ内に収納した状態で載置するサブトレイ及びこのサブトレイを移動自在に収納し、前記装置本体内に出入されるメイントレイからなる載置手段と、
前記サブトレイに移動自在に設けられ、前記装置本体が縦置きで設置されて前記単独媒体を取り込むとき、その先端部を突き出して前記単独媒体に係止させて保持する保持片と、前記装置本体内に設けられ、前記載置手段に載置されて取り込まれる前記単独媒体或いはカートリッジ内の媒体を前記載置手段の揺動により装着させて回転駆動する媒体駆動手段と、前記装置本体内に突設された押上部材と、前記単独媒体が前記媒体駆動手段に装着されたときのみ、前記保持片を前記押上部材に当接させて押し上げることにより、前記単独媒体から離間する方向に退避させる退避手段とを具備する。
【００１２】
請求項４記載のものは、縦置き或いは横置きで設置される装置本体と、情報処理される媒体を単独或いはカートリッジ内に収納した状態で載置するサブトレイ及びこのサブトレイを移動自在に収納し、前記装置本体内に出入されるメイントレイからなる揺動自在な載置手段と、前記サブトレイを前記メイントレイ内で移動させる移動手段と、前記サブトレイに移動自在に設けられ、前記装置本体が縦置きで設置されて前記単独媒体を引き込むとき、その先端部を突き出して前記単独媒体に係止させて保持する保持片と、前記装置本体内に設けられ、前記載置手段に載置されて取り込まれる前記単独媒体或いはカートリッジ内の媒体を前記載置手段の揺動により装着させて回転駆動する媒体駆動手段と、前記装置本体内に突設された押上部材と、前記単独媒体が前記駆動手段に装着されたときのみ、前記サブトレイの移動により前記保持片を前記押上部材に当接させて押し上げることにより、前記単独媒体から離間する方向に退避させる退避手段とを具備する。
請求項５記載のものは、縦置き或いは横置きで設置される装置本体と、情報処理される媒体を単独或いはカートリッジ内に収納した状態で載置するサブトレイ及びこのサブトレイを移動自在に収納し、前記装置本体内に出入されるメイントレイからなる揺動自在な載置手段と、前記サブトレイに移動自在に設けられ、前記装置本体が縦置きで設置されて前記単独媒体を引き込むとき、その先端部を突き出して前記単独媒体に係止させて保持する保持片と、この保持片に突設された脚部と、前記装置本体内に設けられ、前記載置手段に載置されて取り込まれる前記単独媒体或いはカートリッジ内の媒体を前記載置手段の揺動により接続させて回転駆動する媒体駆動手段と、前記装置本体内に突設された押上部材と、前記サブトレイを前記メイントレイ内でその保持片の脚部が前記押上部材に対向する第１の位置及び前記保持片の脚部が前記押上部材に対向しない第２の位置間で移動させる移動手段と、前記単独媒体が前記媒体駆動手段に装着されたときは、前記移動手段により前記保持片を前記第１の位置に移動させてその脚部を前記押上部材に当接させることにより押し上げて前記単独媒体から離間する方向に退避させ、前記カートリッジの媒体が前記媒体駆動手段に装着されたときは、前記保持片を第２の位置に移動させてその脚部の前記押上部材に対する当接を回避させる退避手段とを具備する。
【００１３】
請求項６記載のものは、縦置き或いは横置きで設置される装置本体と、情報処理される媒体を単独或いはカートリッジ内に収納した状態で載置するサブトレイ及びこのサブトレイを移動自在に収納し、前記装置本体内に出入されるメイントレイからなる揺動自在な載置手段と、前記サブトレイに移動自在に設けられ、前記装置本体が縦置きで設置されて前前単独媒体を引き込むとき、その先端部を突き出し、この先端部により前記単独媒体を保持する複数の保持片と、この保持片に突設された脚部と、前記装置本体内に設けられ、前記載置手段に載置されて取り込まれる前記単独媒体或いはカートリッジ内の媒体を前記載置手段の揺動により装着させて回転駆動する媒体駆動手段と、前記装置本体内に突設された押上部材と、前記サブトレイを前記メイントレイ内でその保持片の脚部が前記押上部材に対向する第１の位置及び前記保持片の脚部が前記押上部材に対向しない前記第１の位置よりも低い第２の位置間で移動させる移動手段と、前記単独媒体が前記媒体駆動手段に装着されるときは、前記移動手段により前記保持片を前記第１の位置に移動させてその脚部を前記押上部材に当接させて押し上げることにより前記単独媒体から離間する方向に退避させ、前記カートリッジの媒体が前記駆動手段に装着されるときは、前記保持片を第２の位置に移動させてその脚部の前記押上部材に対する当接を回避させる退避手段とを具備する。
【００１４】
【発明の実施の形態】
以下、本発明を図面に示す一実施の形態を参照して説明する。
【００１５】
図１は横置きで設置された情報処理装置としての光ディスク装置を示す斜視図で、図２はその正面図である。
【００１６】
図３は縦置きで設置された光ディスク装置を示す斜視図で、図４はその正面図である。
【００１７】
図中１は装置本体で、この装置本体１の正面部には出入口２を開閉する開閉シャッタ３が設けられている。
【００１８】
図５は装置本体１の内部を示すものである。
【００１９】
図中４は装置本体１内に設けられるモールドベースで、このモールドベース４内には後述する載置手段としての載置トレイ５をスライド自在に保持するホルダ６が設けられている。ホルダ６は揺動自在に設けられ、後述するように下方に回動されることにより、載置トレイ５に載置された光ディスクをスピンドルモータに装着させるようになっている。
【００２０】
図６はホルダ６内に保持される載置トレイ５及びモールドベース４上に配設され、光ディスクを回転させるスピンドルモータ８さらに光ディスクの径方向に沿って移動することにより、光ディスクに対し情報を読取り或いは書き込む光学ヘッド９を示すものである。
【００２１】
図７はモールドベース４及び載置トレイ５を分解して示す斜視図である。
【００２２】
載置トレイ５はメイントレイ１１とこのメイントレイ１１にスライド自在に設けられるサブトレイ１２からなる。
【００２３】
サブトレイ１２の前後部の両側面部に突起部１４，１４が突設され、メイントレイ１１の前後部の両側壁部には突起部１４，１４をスライド自在に挿入させる後述するガイド溝１５，１５が形成されている。
【００２４】
サブトレイ１２の奥側の両側部及び手前側の一側部にはそれぞれ保持手段としての保持爪１９，１９，２０及び保持爪１９，１９，２０を押し上げるバネ２１が取り付けられる。保持爪１９，１９，２０はサブトレイ１２に形成された取付溝２５内にスライド自在に配設され、取付溝２５内をスライド移動することにより、その先端部をサブトレイ１２の光ディスク載置面１２ａに突き出すことができるようになっている。
【００２５】
メイントレイ１１の奥側の両側部には、保持爪１９，１９，２０を持ち上げる持上用の補助バネ１７が配設されている。モールドベース４の両側部及び手前側の一側部にはそれぞれ保持爪１９，１９，２０の押上手段としてのボス部２２，２２，２３が突設されている。
【００２６】
図８は装置本体１が横置きで使用されるときの、保持爪１９，１９，２０の位置を示すもので、このときは、取付溝２５内でスライド移動することなく、先端部がサブトレイ１２の光ディスク載置面１２ａに突き出されることがない。
【００２７】
図９は装置本体１が縦置きで使用されるときの、保持爪１９，１９，２０の位置を示すもので、このときは、取付溝２５内でスライド移動し、その先端部がサブトレイ１２の光ディスク載置面１２ａに突き出される。
【００２８】
図１０は装置本体１が縦置きで使用され、光ディスクが単体で載置されてスピンドルモータ８に装着されるときの保持爪１９，１９，２０の状態を示すもので、このときには、保持爪１９，１９，２０が上方へ押し上げられて光ディスクＤから離間されるようになっている。
【００２９】
図１１は光ディスクが単体で載置されるときのメイントレイ１１とサブトレイ１２との位置関係を示すものである。
【００３０】
メントレイ１１の前後部の両側壁部にはサブトレイ１２の突起部１４，１４をスライド自在に挿入させるガイド溝１５，１５が形成されている。ガイド溝１５，１５はサブトレイ１２の前進方向に向かって上昇するように傾斜され、サブトレイ１２が前進されると、その突起部１４，１４がガイド溝１５，１５に沿って上昇してサブトレイ１２が上昇されるようになっている。このときには、サブトレイ１２の保持爪１９，１９，２０の脚部１９ａ，１９ａ，２０ａがモールドベース４のボス部２２，２２，２３に対向するようになっている。
【００３１】
図１２はカートリッジＫが載置されるときのメイントレイ１１とサブトレイ１２との位置関係を示すものである。
【００３２】
このときには、サブトレイ１２が後退され、その突起部１４，１４がガイド溝１５，１５に沿って下降してサブトレイ１２が下降されるようになっている。このサブトレイ１２の後退により、サブトレイ１２の保持爪１９，１９，２０の脚部１９ａ，１９ａ，２０ａがモールドベース４のボス部２２，２２，２３からズレて非対向状態になるようになっている。
【００３３】
モールドベース４の底板４ａは、装置本体１の出入口２に向かって下降するように傾斜され、ホルダ６が支点を中心に下方に回動することにより、載置トレイ５に載置された単独或いはカートリッジ内に収納された光ディスクがスピンドルモータ８に装着されるようになっている。
【００３４】
図１３は装置本体１を横置きとし、光ディスクを単体でローディングするときの保持爪１９，２０の位置を示すものである。
【００３５】
このときには、保持爪１９，２０は、サブトレイ１２の前進により上昇された位置にあり、サブトレイ１２の取付溝２５内でスライド移動されることなく、その先端部がサブトレイ１２の光ディスク載置面１２ａに突き出ることがない。
【００３６】
図１４は装置本体１を横置きとし、カートリッジをローディングするときの保持爪１９，２０の位置を示すものである。
【００３７】
このときには、保持爪１９，２０は、サブトレイ１２の後退により下降された位置にあり、サブトレイ１２の取付溝２５内でスライド移動されることなく、その先端部がサブトレイ１２の光ディスク載置面１２ａに突き出ることがない。
【００３８】
図１５は装置本体１を縦置きとし、光ディスクを単体でローディングするときの保持爪１９，２０の位置を示すものである。
【００３９】
このときには、保持爪１９，２０は、サブトレイ１２の前進により上昇された位置にあり、サブトレイ１２の取付溝２５内でスライド移動されてその先端部がサブトレイ１２の光ディスク載置面１２ａに突き出る位置にある。
【００４０】
図１６は装置本体１を縦置きとし、カートリッジをローディングするときの保持爪１９，２０の位置を示すものである。
【００４１】
このときには、保持爪１９，２０は、サブトレイ１２の後退により下降された位置にあり、サブトレイ１２の取付溝２５内でスライド移動されてその先端部がサブトレイ１２の光ディスク載置面１２ａに突き出る位置にある。
【００４２】
図１７〜図２２は、装置本体１を縦置きにして光ディスクＤを単体でローディングする場合を示すものである。
【００４３】
この場合には、まず、図１７に示すように、メイントレイ１１が装置本体１から引き出される。このときには、保持爪１９，１９，２０が前進されてその先端部がサブトレイ１２の載置面１２ａ上に突出する。また、図１８に示すように、サブトレイ１２が前進され、これにより、サブトレイ１２の突起部１４，１４がメイントレイ１１のガイド溝１５，１５に沿って上昇されサブトレイ１２がメイントレイ１１内の上部に位置される。しかるのち、図１９に示すように、サブトレイ１２の載置面１２ａに光ディスクＤをセットし、この光ディスクＤを保持爪１９，１９，２０の先端部で引っ掛けて弾性的に保持する。
【００４４】
このように、光ディスクＤをセットしたのち、図示しない駆動機構を動作させてメイントレイ１１を図２０に示すように、装置本体１内に引き込む。このときは、保持爪１９，１９，２０の脚部１９ａ，１９ａ，２０ａとモールドベース４のボス部２２，２２，２３とが対向する。この状態から図２１及び図２２に示すように、ホルダ６が下方に回動されてその光ディスクＤがスピンドルモータ８のターンテーブル１３上に装着される。このとき、保持爪１９，１９，２０の脚部１９ａ，１９ａ，２０ａがボス部２２，２２，２３に当接し、保持爪１９，１９，２０の先端部が押し上げられる。これにより、保持爪１９，１９，２０の先端部は光ディスクＤから離間され、光ディスクＤに干渉することがない。
【００４５】
図２３〜図２８は、装置本体１を縦置きにしてカートリッジＫをローディングする場合を示すものである。
【００４６】
この場合には、まず、図２３に示すように、メイントレイ１１が装置本体１から引き出される。このときには、保持爪１９，１９，２０が前進されてその先端部がサブトレイ１２の載置面１２ａに突出する。また、図２４に示すように、サブトレイ１２が後退され、これにより、サブトレイ１２の突起部１４，１４がメイントレイ１１のガイド溝１５，１５に沿って下降されサブトレイ１２がメイントレイ１１の内底部に位置される。しかるのち、図２５に示すように、サブトレイ１２にカートリッジＫをセットする。
【００４７】
このように、カートリッジＫをセットしたのち、図示しない駆動機構を動作させてメイントレイ１１を図２６に示すように、装置本体１内に引き込む。このときのは、保持爪１９，１９，２０の脚部１９ａ，１９ａ，２０ａとモールドベース４のボス部２２，２２，２３とがズレて非対向の状態になる。この状態から図２７及び図２８に示すように、ホルダ６の下方への回動によりメイン及びサブトレイ１１，１２が傾斜する状態に回動されてカートリッジＫ内の光ディスクＤがスピンドルモータ８のターンテーブル１３上に装着される。このとき、保持爪１９，１９，２０の脚部１９ａ，１９ａ，２０ａがボス部２２，２２，２３に当接せず、保持爪１９，１９，２０の先端部は押し上げられない。
【００４８】
したがって、保持爪１９，１９，２０がカートリッジＫに当接することがなく、保持爪１９，１９，２０とカートリッジＫとの間に干渉防止用のスペースを必要とすることがなく、装置本体１の小型化が可能となる。
【００４９】
なお、図２９〜図３１は装置本体１を横置きにして光ディスクＤを単体でローディングする場合を示し、図３２〜図３４は装置本体１を横置きにしてカートリッジＫをローディングする場合を示すものである。
【００５０】
これらの場合は、上記した装置本体１を縦置きにして光ディスクＤを単体でローディングする場合、また、装置本体１を縦置きにしてカートリッジＫをローディングする場合とほぼ同様の動きであり、保持爪１９，１９，２０がスライド移動してその先端部が突き出ない（爪も動かない）点でのみ異なるものであり、詳細についての説明は省略する。
【００５１】
【発明の効果】
本発明は以上説明したように、カートリッジを載置して取り込む場合には、保持手段（保持片）を載置手段（載置トレイ）から退避させないから、カートリッジと保持手段（保持片）との間にクリアランスを形成する必要がない。
【００５２】
したがって、装置本体の高さ方向の寸法を大とする必要がなく、装置を小型化できるという効果を奏する。
【図面の簡単な説明】
【図１】本発明の一実施の形態である光ディスク装置を横置きで設置した状態を示す斜視図。
【図２】光ディスク装置を示す正面図。
【図３】光ディスク装置を縦置きで設置した状態を示す斜視図。
【図４】光ディスク装置を示す正面図。
【図５】光ディスク装置の内部を示す斜視図。
【図６】光ディスク装置の内部を示す斜視図。
【図７】載置トレイを分解して示す斜視図。
【図８】光ディスク装置を横置きで設置したときのサブトレイの保持爪の位置を示す斜視図。
【図９】光ディスク装置を縦置きで設置したときのサブトレイの保持爪の位置を示す斜視図。
【図１０】光ディスク装置を縦置きで設置し光ディスクを単体で引き込んでクランプするときの保持爪の状態を示す斜視図。
【図１１】光ディスクを単体でローディングするときのサブトレイの位置を示す図。
【図１２】カートリッジをローディングするときのサブトレイの位置を示す図。
【図１３】光ディスク装置を横置きで設置し光ディスクを単体で引き込んでクランプするときの保持爪の位置を示す図。
【図１４】光ディスク装置を横置きで設置しカートリッジを引き込んでクランプするときの保持爪の位置を示す図。
【図１５】光ディスク装置を縦置きで設置し光ディスクを単体で引き込んでクランプするときの保持爪の位置を示す図。
【図１６】光ディスク装置を縦置きで設置しカートリッジを引き込んでクランプするときの保持爪の位置を示す図。
【図１７】光ディスク装置を縦置きで設置し光ディスクを単体で引き込むためにトレイが引き出された状態を示す斜視図。
【図１８】光ディスク装置を縦置きで設置し光ディスクを単体で引き込むためにトレイが引き出された状態を示す平面図。
【図１９】トレイに光ディスクが取り付けられた状態を示す斜視図。
【図２０】トレイが引き込まれた状態を示す平面図。
【図２１】光ディスクがローディングされた状態を示す斜視図。
【図２２】光ディスクがローディングされた状態を示す平面図。
【図２３】光ディスク装置を縦置きで設置しカートリッジを引き込むためにトレイが引き出された状態を示す斜視図。
【図２４】光ディスク装置を縦置きで設置しカートリッジを引き込むためにトレイが引き出された状態を示す平面図。
【図２５】トレイにカートリッジが取り付けられた状態を示す斜視図。
【図２６】トレイが引き込まれた状態を示す平面図。
【図２７】カートリッジがローディングされた状態を示す斜視図。
【図２８】カートリッジがローディングされた状態を示す平面図。
【図２９】光ディスク装置を横置きで設置し光ディスクを単体で引き込むためにトレイが引き出された状態を示す斜視図。
【図３０】トレイに光ディスクが取り付けられた状態を示す斜視図。
【図３１】光ディスクがローディングされた状態を示す斜視図。
【図３２】光ディスク装置を横置きで設置しカートリッジを引き込むためにトレイが引き出された状態を示す斜視図。
【図３３】トレイにカートリッジが取り付けられた状態を示す斜視図。
【図３４】カートリッジがローディングされた状態を示す斜視図。
【符号の説明】
１…装置本体
５…載置トレイ（載置手段）
８…スピンドルモータ（媒体駆動手段）
Ｄ…光ディスク（媒体）
Ｋ…カートリッジ
１１…メイントレイ
１２…サブトレイ
１９，２０…保持手段（保持片）
１９ａ，２０ａ…脚部
２２，２３…ボス部（押上部材）
【図１】
0003720962.tif 000002
【図２】
0003720962.tif 000003
【図３】
0003720962.tif 000004
【図４】
0003720962.tif 000005
【図５】
0003720962.tif 000006
【図６】
0003720962.tif 000007
【図７】
0003720962.tif 000008
【図８】
0003720962.tif 000009
【図９】
0003720962.tif 000010
【図１０】
0003720962.tif 000011
【図１１】
0003720962.tif 000012
【図１２】
0003720962.tif 000013
【図１３】
0003720962.tif 000014
【図１４】
0003720962.tif 000015
【図１５】
0003720962.tif 000016
【図１６】
0003720962.tif 000017
【図１７】
0003720962.tif 000018
【図１８】
0003720962.tif 000019
【図１９】
0003720962.tif 000020
【図２０】
0003720962.tif 000021
【図２１】
0003720962.tif 000022
【図２２】
0003720962.tif 000023
【図２３】
0003720962.tif 000024
【図２４】
0003720962.tif 000025
【図２５】
0003720962.tif 000026
【図２６】
0003720962.tif 000027
【図２７】
0003720962.tif 000028
【図２８】
0003720962.tif 000029
【図２９】
0003720962.tif 000030
【図３０】
0003720962.tif 000031
【図３１】
0003720962.tif 000032
【図３２】
0003720962.tif 000033
【図３３】
0003720962.tif 000034
【図３４】
0003720962.tif 000035